【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
約０．１〜約９９．９重量％の重合性シアノアクリレートモノマーと、約０．１〜約９９．９重量％の、刺す様な痛みを与えず、ヒリヒリせず、揮発性で非反応性の液体とを備える液体コーティング材料であって、第２表面に接着しないが、血の付いた表面、湿潤表面、および非湿潤表面において接着性で適合性のポリマー・コーティングを形成する止血性である前記液体コーティング材料。
【請求項２】
約０．０１〜約９９．５重量％のシロキシシラン含有ポリマー、約０．１〜約９９．５重量％の重合性シアノアクリレートモノマーおよび約０．５〜約９９．９重量％の、刺す様な痛みを与えず、ヒリヒリせず、揮発性で疎水性の液体を備える液体コーティング材料であって、
第２表面に接着しないが、血の付いた表面、湿潤表面および非湿潤表面に接着性で適合性で水蒸気透過性で止血性の相互貫入ポリマー・コーティングを形成するフィルム形成性である、請求項１に記載の液体コーティング材料。
【請求項３】
前記重合性シアノアクリレートモノマー成分がα−シアノアクリレートからなる、請求項１または請求項２に記載の液体コーティング材料。
【請求項４】
前記α−シアノアクリレートモノマー成分が、ｎ−ブチルシアノアクリレートおよび２−オクチルシアノアクリレートのうちの少なくとも１つからなる、請求項３に記載の液体コーティング材料。
【請求項５】
前記シロキシシラン含有ポリマーが、ビニル含有アルキル−またはアルキルアリール−シロキシシラン付加重合性モノマーからなる、請求項２に記載の液体コーティング材料。
【請求項６】
３−メタクリロイルオキシプロピルトリス（トリメチルシロキシ）シラン、
３−メタクリロイルオキシプロピルペンタメチルジシロキサン、
３−メタクリロイルオキシプロピルビス（トリメチルシロキシ）メチルシラン、
３−メタクリロイルオキシプロピルトリス（ビニルジメチルシロキシ）シラン、
３−メタクリロイルオキシメチルビス（トリメチルシロキシ）（ペンタメチルジシロキサニル）シラン、
３−メタクリロイルオキシエチルトリス（ペンタメチルジシロキサニル）シラン、
メタクリロイルオキシメチルビス（トリメチルシロキシ）メチルシラン、
メタクリロイルオキシメチルトリス（トリメチルシロキシ）シラン、
３−メタクリロイルオキシプロピルヘプタシクロペンチル−Ｔ８−シルセスキオキサン、
３−メタクリロイルオキシプロピルヘプタイソブチル−Ｔ８−シルセスキオキサン、
３−アクリロイルオキシプロピルメチルビス（トリメチルシロキシ）シラン、
３−アクリロイルオキシプロピルトリス（トリメチルシロキシ）シラン、
３−メタクリロイルオキシプロピル−１，１，１−トリフェニル−３，３−ジメチルジシロキサン、
３−メタクリルアミドプロピルトリス（トリメチルシロキシ）シラン、
３−アクリルアミドプロピルトリス（トリメチルシロキシ）シラン、
ｐ−ビニルフェニルトリス（トリメチルシロキシ）シラン、
ｐ−ビニルベンジルトリス（トリメチルシロキシ）シラン、
ビニルオキシエチルトリス（トリメチルシロキシ）シラン、
ビニルノニルジメチル（トリメチルシロキシ）シラン、
ビニルノニルトリス（トリメチルシロキシ）シラン、
ビニルメチルビス（トリメチルシロキシ）シラン、
ビニルペンタメチルジシロキサン、
Ｏ−（ビニルオキシエチル）−Ｎ−（トリス［トリメチルシロキシ］シリルプロピル）ウレタン、
ビニルフェニルビス（トリメチルシロキシ）シラン、
ビニルトリス（ジメチルシロキシ）シラン、
ビニルトリス（トリメチルシロキシ）シラン、
ビニル末端ポリジメチルシロキサン、
ポリジメチルシロキサン  モノアクリレート、
ポリジメチルシロキサン  モノメタクリレート、
ポリメチルフェニルシロキサン  モノアクリレート、
ポリメチルフェニルシロキサン  モノメタクリレート、または
３−アクリロイルオキシプロピルトリス（ポリジメチルシロキサニル）シラン
のうちの少なくとも１つからなる、請求項５に記載のシロキシシランモノマー。
【請求項７】
前記シロキシシラン含有ポリマーの重合性シロキシシランモノマー成分が、３−メタクリロイルオキシプロピルトリス（トリメチルシロキシ）シランである、請求項５に記載の液体コーティング材料。
【請求項８】
前記シロキシシランポリマーが、約２０〜約８５モル％の重合性シロキシシランモノマー、および前記シアノアクリレートモノマーの自然重合を引き起こすことなく前記シロキシシランポリマーの接着および水蒸気透過性を維持する重合性モノマーを場合により含む、約１５〜約８０モル％の添加されるモノマー成分からなる、請求項２に記載の液体コーティング材料。
【請求項９】
前記重合性シロキシシランモノマーとして３−メタクリロイルオキシプロピルトリス（トリメチルシロキシ）シラン、および前記添加される重合性モノマーとしてメチルメタクリレートを含む、請求項８に記載の液体コーティング材料。
【請求項１０】
前記重合性シロキシシランモノマーとして３−メタクリロイルオキシプロピルトリス（トリメチルシロキシ）シラン、ならびに前記添加される重合性モノマーとしてメチルメタクリレートおよびイソオクチルアクリレートを含む、請求項８に記載の液体コーティング材料。
【請求項１１】
前記重合性シロキシシランモノマーとして３−メタクリロイルオキシプロピルトリス（トリメチルシロキシ）シラン、および前記添加される重合性モノマーとしてｎ−ブチルメタクリレートを含む、請求項８に記載の液体コーティング材料。
【請求項１２】
前記刺す様な痛みを与えず、ヒリヒリせず、揮発性で非反応性の液体が、４．９〜１２．５（ｃａｌ／ｃｍ３）１／２の溶解度パラメーターを有する群から選択される、請求項１に記載の液体コーティング材料。
【請求項１３】
前記刺す様な痛みを与えず、ヒリヒリせず、揮発性で非反応性の液体が、５〜１０（ｃａｌ／ｃｍ３）１／２の溶解度パラメーターを有する群から選択される、請求項２に記載の液体コーティング材料。
【請求項１４】
前記刺す様な痛みを与えず、ヒリヒリせず、揮発性で非反応性の液体が、揮発性直鎖および環状シロキサン、ならびに揮発性ポリジメチルシロキサンからなる、請求項１２または１３に記載の液体コーティング材料。
【請求項１５】
ヘキサメチルジシロキサン、オクタメチルシクロテトラシロキサン、デカメチルシクロペンタシロキサン、またはオクタメチルトリシロキサンからなる、請求項１４に記載の刺す様な痛みを与えず、ヒリヒリせず、揮発性で非反応性の液体。
【請求項１６】
前記刺す様な痛みを与えず、ヒリヒリせず、揮発性で非反応性の液体としてヘキサメチルジシロキサンを含む、請求項１または請求項２に記載の液体コーティング材料。
【請求項１７】
ヘキサメチルジシロキサン溶媒中でポリ（３−メタクリロイルオキシプロピルトリス（トリメチルシロキシ）シラン−ＣＯ−メチルメタクリレート−ＣＯ−イソオクチルアクリレート）と混合されたｎ−ブチルシアノアクリレートからなり、第２表面に接着しないが、血の付いた表面、湿潤表面および非湿潤表面上で接着性、適合性、水蒸気透過性、相互貫入ポリマー・コーティングを形成する止血性かつフィルム形成性であり、請求項２に記載の液体コーティング材料。
【請求項１８】
ヘキサメチルジシロキサン溶媒中でポリ（３−メタクリロイルオキシプロピルトリス（トリメチルシロキシ）シラン−ＣＯ−メチルメタクリレート）と混合されたｎ−ブチルシアノアクリレートからなり、第２表面に接着しないが、血の付いた表面、湿潤表面および非湿潤表面上で接着性、適合性、水蒸気透過性、相互貫入ポリマー・コーティングを形成する止血性でかつフィルム形成性である、請求項２に記載の液体コーティング材料。
【請求項１９】
ヘキサメチルジシロキサン溶媒中でポリ（３−メタクリロイルオキシプロピルトリス（トリメチルシロキシ）シラン−ＣＯ−ｎ−ブチルメタクリレート）と混合されたｎ−ブチルシアノアクリレートからなり、第２表面に接着しないが、血の付いた表面、湿潤表面および非湿潤表面上で、接着性、適合性、水蒸気透過性、相互貫入ポリマー・コーティングを形成して止血性でありかつフィルム形成性である、請求項２に記載の液体コーティング材料。
【請求項２０】
約０．１〜約９９．９重量％の重合性シアノアクリレートモノマーおよび約０．１〜約９９．９重量％の揮発性で非反応性の液体からなる液体コーティング材料であって、そのコーティングが表面に塗布された場合、前記非反応性溶媒の揮発によって形成する液体コーティング材料。
【請求項２１】
α−シアノアクリレートモノマーおよび非反応性シロキサン溶媒からなり、そのコーティングが表面に塗布された場合、前記α−シアノアクリレートモノマーの重合および前記非反応性溶媒の揮発によって形成する液体コーティング材料。
【請求項２２】
前記シアノアクリレートモノマーとしてｎ−ブチルシアノアクリレート、および前記揮発性溶媒としてヘキサメチルジシロキサンを含む、請求項２１に記載の液体コーティング材料。
【請求項２３】
約０．１〜約９９．５重量％の重合性シアノアクリレートモノマー、約０．０１〜約９９．５重量％のシロキシシラン含有ポリマーおよび約０．５〜約９９．９重量％の、揮発性で非反応性の液体からなり、コーティングが表面に塗布された場合に前記非反応性溶媒の揮発によるフィルム形成性を有する、液体コーティング材料。
【請求項２４】
生物学的表面に塗布した場合にα−シアノアクリレートモノマーの重合速度および重合の生成熱を重合時間にわたって減少させる方法であって、
刺す様な痛みを与えず、ヒリヒリせず、揮発性で非反応性の溶媒を導入する工程からなり、前記重合性シアノアクリレートモノマー成分がα−アルキルシアノクリレートからなる前記方法。
【請求項２５】
前記α−アルキルシアノクリレートモノマー成分が、ｎ−ブチルシアノアクリレートおよび２−オクチルシアノアクリレートのうちの少なくとも１つからなる、請求項２４に記載の液体コーティング材料。
【請求項２６】
直鎖および環状シロキサンからなる、請求項２４から２５のいずれか一項に記載の、刺す様な痛みを与えず、ヒリヒリせず、揮発性で非反応性の液体溶媒。
【請求項２７】
ヘキサメチルジシロキサン、オクタメチルシクロテトラシロキサン、デカメチルシクロペンタシロキサン、オクタメチルトリシロキサン等からなる、請求項２６に記載の刺す様な痛みを与えず、ヒリヒリせず、揮発性で非反応性の液体。
【請求項２８】
切開された生物学的表面の被覆に使用される、請求項１に記載の接着材料。
【請求項２９】
切開された生物学的表面の被覆に使用される、請求項２に記載の接着材料。
【請求項３０】
約０．１〜約９９．９重量％の重合性シアノアクリレートモノマーおよび約０．１〜約９９．９重量％の、刺す様な痛みを与えず、ヒリヒリせず、揮発性で非反応性の液体を備えたキットにおいて、
前記コーティング材料は、血の付いた表面、湿潤表面および非湿潤表面に塗布された場合に接着性、適合性ポリマー・コーティングを形成する止血性であり、前記接着性、適合性コーティングは第２表面に接着しない、前記キット。
【請求項３１】
約０．０１〜約９９．５重量％のシロキシシラン含有ポリマー、約０．１〜約９９．５重量％の重合性シアノアクリレートモノマーおよび約０．５〜約９９．９重量％の、刺す様な痛みを与えず、ヒリヒリせず、揮発性で疎水性の液体からなり、血の付いた表面、湿潤表面および非湿潤表面に塗布された場合に、前記コーティング材料が接着性、適合性、水蒸気透過性、止血性、相互貫入ポリマー・コーティングを形成するフィルム形成性であり、前記コーティングは第２表面に接着しない、請求項３０に記載のキット。
【請求項３２】
前記重合性シアノアクリレートモノマー成分がα−シアノアクリレートからなり、前記α−シアノアクリレートモノマー成分が、ｎ−ブチルシアノアクリレートおよび２−オクチルシアノアクリレートのうちの少なくとも１つからなる、請求項３０または３１に記載の重合性シアノアクリレートモノマー。
【請求項３３】
前記シロキシシラン含有ポリマーが、ビニル含有アルキル−またはアルキルアリール−シロキシシラン付加重合性モノマーのうちの少なくとも１つからなる、請求項３１に記載のシロキシシラン含有ポリマー。
【請求項３４】
３−メタクリロイルオキシプロピルトリス（トリメチルシロキシ）シラン、
３−メタクリロイルオキシプロピルペンタメチルジシロキサン、
３−メタクリロイルオキシプロピルビス（トリメチルシロキシ）メチルシラン、
３−メタクリロイルオキシプロピルトリス（ビニルジメチルシロキシ）シラン、
３−メタクリロイルオキシメチルビス（トリメチルシロキシ）（ペンタメチルジシロキサニル）シラン、
３−メタクリロイルオキシエチルトリス（ペンタメチルジシロキサニル）シラン、
メタクリロイルオキシメチルビス（トリメチルシロキシ）メチルシラン、
メタクリロイルオキシメチルトリス（トリメチルシロキシ）シラン、
３−メタクリロイルオキシプロピルヘプタシクロペンチル−Ｔ８−シルセスキオキサン、
３−メタクリロイルオキシプロピルヘプタイソブチル−Ｔ８−シルセスキオキサン、
３−アクリロイルオキシプロピルメチルビス（トリメチルシロキシ）シラン、
３−アクリロイルオキシプロピルトリス（トリメチルシロキシ）シラン、
３−メタクリロイルオキシプロピル−１，１，１−トリフェニル−３，３−ジメチルジシロキサン、
３−メタクリルアミドプロピルトリス（トリメチルシロキシ）シラン、
３−アクリルアミドプロピルトリス（トリメチルシロキシ）シラン、
ｐ−ビニルフェニルトリス（トリメチルシロキシ）シラン、
ｐ−ビニルベンジルトリス（トリメチルシロキシ）シラン、
ビニルオキシエチルトリス（トリメチルシロキシ）シラン、
ビニルノニルジメチル（トリメチルシロキシ）シラン、
ビニルノニルトリス（トリメチルシロキシ）シラン、
ビニルメチルビス（トリメチルシロキシ）シラン、
ビニルペンタメチルジシロキサン、
Ｏ−（ビニルオキシエチル）−Ｎ−（トリス［トリメチルシロキシ］シリルプロピル）ウレタン、
ビニルフェニルビス（トリメチルシロキシ）シラン、
ビニルトリス（ジメチルシロキシ）シラン、
ビニルトリス（トリメチルシロキシ）シラン、
ビニル末端ポリジメチルシロキサン、
ポリジメチルシロキサン  モノアクリレート、
ポリジメチルシロキサン  モノメタクリレート、
ポリメチルフェニルシロキサン  モノアクリレート、
ポリメチルフェニルシロキサン  モノメタクリレート、または
３−アクリロイルオキシプロピルトリス（ポリジメチルシロキサニル）シラン
のうちの少なくとも１つからなる、請求項３３に記載のシロキシシランモノマー。
【請求項３５】
前記シロキシシラン含有ポリマーの重合性シロキシシランモノマー成分が、３−メタクリロイルオキシプロピルトリス（トリメチルシロキシ）シランである、請求項３３に記載の液体コーティング材料。